(57)【要約】【課題】遊技球が入賞口に入賞するまでの経路や、遊技球がその経路を通った場合の前記入賞口への入球確率等に変化を与えることで、一層面白みのある遊技を実現できる遊技機を提供する。【解決手段】役物装置４０の役物本体４１の内部には、パチンコ球Ｂが転動可能な第１の球転動部６０と、パチンコ球Ｂが入球可能なワープ口６２が設けられる。始動口２５の直上の位置には、ワープ口６２に入球したパチンコ球Ｂを排出する球排出口６３が設けられる。ワープ口６２と球排出口６３は、ワープ通路６４を介して連通される。球通路部材７０ａ，７０ｂが第１の振り分け位置に変位されている場合には、パチンコ球Ｂが高い確率で第１の球転動部６０に振り分けられる。球通路部材７０ａ，７０ｂが第２の振り分け位置に変位されている場合には、パチンコ球Ｂが高い確率でワープ通路６４に振り分けられる。【選択図】      図１
2004209085.tif 000002
【特許請求の範囲】
【請求項１】
遊技球が転動可能な第１の球転動部及び第２の球転動部と、遊技盤上を流下する遊技球を前記第１の球転動部もしくは第２の球転動部に振り分ける振り分け手段と、前記第１の球転動部の下方に配置された入賞口と、を備える遊技機において、
前記振り分け手段は、第１の振り分け位置と第２の振り分け位置とに変位される球通路部材により構成され、前記球通路部材が第１の振り分け位置に変位されている場合には、遊技盤上を流下する遊技球が前記球通路部材を通過して前記第１の球転動部に高い確率で振り分けられ、前記球通路部材が第２の振り分け位置に変位されている場合には、遊技盤上を流下する遊技球が前記球通路部材を通過して前記第２の球転動部に高い確率で振り分けられる構成とされており、
前記第１の球転動部に振り分けられた遊技球よりも、前記第２の球転動部に振り分けられた遊技球の方が前記入賞口に入球する確率が高くなるように構成されている遊技機。
【発明の詳細な説明】
【０００１】
【発明の属する技術分野】
この発明は、例えば、パチンコ機（雀球機、アレンジボール機等も含む）等の弾球遊技機とも呼ばれることがある遊技機に関する。
【０００２】
【従来の技術】
従来、パチンコ機等の遊技機において、遊技盤中央に配設されたセンター役物にワープ装置を設け、遊技盤上を流下するパチンコ球をそのワープ装置に導いて一時的に目視不能とした後、始動口等の入賞口の上方に再びパチンコ球を出現させてそのパチンコ球が入賞し易くしたものが知られている。このようなパチンコ機として、例えば［特許文献１］に記載のパチンコ機が知られている。
【０００３】
【特許文献１】
特開平６−２６９５４３
【０００４】
【発明が解決しようとする課題】
上記従来のパチンコ機によれば、ワープ装置によりパチンコ球を目視不能とすることで遊技性の向上を図ることができる。しかしながら、ワープ装置に入球したパチンコ球が一律に始動口の上方に現れるという結果がもたらされるに過ぎず、パチンコ球の動きが単調になって遊技者に対してそれ以上の面白みを与えるものではなかった。
【０００５】
本願発明は上記の問題点に鑑みてなされたものであり、遊技球が入賞口に入賞するまでの経路や、遊技球がその経路を通った場合の前記入賞口への入球確率等に変化を与えることで、一層面白みのある遊技を実現できる遊技機を提供することを目的とする。
【０００６】
【課題を解決するための手段】
請求項１に記載の遊技機によれば、遊技球が転動可能な「第１の球転動部」及び「第２の球転動部」と、遊技盤上を流下する遊技球を前記第１の球転動部もしくは第２の球転動部にそれぞれ振り分ける「振り分け手段」と、前記第１の球転動部の下方に配置された「入賞口」と、を備えている。前記第１の球転動部を転動する遊技球は、その第１の球転動部から落下して、その第１の球転動部よりも下方に配置された入賞口に入球することができるように構成されている。
【０００７】
また、請求項１に記載の遊技機によれば、前記振り分け手段は、第１の振り分け位置と第２の振り分け位置とに変位される球通路部材により構成され、前記球通路部材が第１の振り分け位置に変位されている場合には、遊技盤上を流下する遊技球が前記球通路部材を通過して前記第１の球転動部に高い確率で振り分けられ、前記球通路部材が第２の振り分け位置に変位されている場合には、遊技盤上を流下する遊技球が前記球通路部材を通過して前記第２の球転動部に高い確率で振り分けられる。ここで、「高い確率で振り分けられる」とあるのは、球通路部材が第１の振り分け位置に変位されている場合の方が、第２の振り分け位置に変位されている場合よりも相対的に高い確率で第１の球転動部に振り分けられ、球通路部材が第２の振り分け位置に変位されている場合の方が、第１の振り分け位置に変位されている場合よりも相対的に高い確率で第２の球転動部に振り分けられる、という意味である。
【０００８】
そして、請求項１に記載の遊技機によれば、前記第１の球転動部に振り分けられた遊技球よりも、前記第２の球転動部に振り分けられた遊技球の方が前記入賞口に入球する確率が高くなるように構成されている。これにより、球通路部材が変位されている位置（第１の振り分け位置及び第２の振り分け位置）によって、遊技球が振り分けられる球転動部（第１の球転動部及び第２の球転動部）、及び、その球転動部を転動する遊技球の入賞口への入球確率に多様な変化を与えることができるので、入賞口に入球するまでのパチンコ球の動きや入球確率などが単調になることが防止され、一層面白みのある遊技を実現することができる。
【０００９】
また、本願の発明は、以下の［手段２］〜［手段４］に記載した発明として構成することも可能である。
【００１０】
［手段２］  請求項１に記載の遊技機であって、
前記第１の球転動部に振り分けられた遊技球は、その第１の球転動部から落下して前記入賞口に入球可能な構成とされており、
前記第２の球転動部に振り分けられた遊技球は、前記第１の球転動部よりも下方の位置でかつ前記入賞口の直上の位置に配置された球排出口から排出される構成とされている遊技機。
［手段３］  請求項１または手段２に記載の遊技機であって、
予め定める遊技状態が発生したことを条件に、第１の振り分け位置もしくは第２の振り分け位置に変位された球通路部材の停留時間が変更されることを特徴とする遊技機。
［手段４］  請求項１、手段２、手段３のうちいずれかに記載の遊技機であって、
入賞口は、開閉部材により開閉される可変入賞口により構成されており、
前記開閉部材の開閉動作と、球通路部材の変位動作とが連動していることを特徴とする遊技機。
【００１１】
上記［手段２］に記載の遊技機によれば、前記第１の球転動部に振り分けられた遊技球は、その第１の球転動部から落下して前記入賞口に入球可能な構成とされており、前記第２の球転動部に振り分けられた遊技球は、前記第１の球転動部よりも下方の位置でかつ前記入賞口の直上の位置に配置された球排出口から排出される構成とされている。つまり、第２の球転動部に振り分けられた遊技球は、第１の球転動部よりも下方でかつ入賞口の直上の位置において遊技盤上に排出されることとなり、第１の球転動部に振り分けられた遊技球よりも相対的に高い確率で入賞口に入球することができる。これにより、入賞口に入球するまでのパチンコ球の動きや入球確率などが単調になることが防止され、一層面白みのある遊技を実現することができる。
【００１２】
上記［手段３］に記載の遊技機によれば、予め定める遊技状態が発生したことを条件に、第１の振り分け位置もしくは第２の振り分け位置に変位された球通路部材の停留時間が変更される。ここで、「停留時間」とあるのは、第１の振り分け位置もしくは第２の振り分け位置に振り分けられた球通路部材が、その変位された位置に留まって停止している時間のことである。
したがって、遊技中における様々な遊技状態、例えば、大当たり遊技終了後に一定期間再び大当たりになる確率が高くなる「確率変動状態」等が発生したことを条件に、遊技盤上を流下する遊技球の入賞口への入球確率を大小に変化させることができるので、遊技者への利益の付与度合いを遊技状況に応じて適切に調整することが可能になる。
【００１３】
上記［手段４］に記載の遊技機によれば、入賞口は、開閉部材により開閉される可変入賞口により構成される。開閉部材により可変入賞口が開かれている場合には、その可変入賞口には遊技球が入球し易い状態となる。反対に、開閉部材により可変入賞口が閉じられている場合には、その可変入賞口には遊技球が入球し難い状態となる。そして、その開閉部材による開閉動作と、球通路部材の変位動作とが連動する。
したがって、例えば、球通路部材が第２の振り分け位置に変位されたときに、開閉部材が作動されて入賞口が開かれる、といったように、両者の動作を互いに連動させることができる。この場合、遊技球は、球通路部材によって第２の球転動部に振り分けられ、開閉部材により開かれている入賞口に向けて落下することになるので、遊技球が入賞口に極めて入球し易い状況を作り出すことができる。これにより、遊技者にとってより大きな利益が付与されるチャンスを与えることができるので、より一層の遊技意欲の向上を図ることができる。
【００１４】
【発明の実施の形態】
以下、本発明の実施の形態を図面に基づいて説明する。本実施の形態は、遊技機の一つであるパチンコ機に対し本発明を適用したものである。
遊技機としてのパチンコ機の所定位置に配置される遊技盤を正面で表した図１において、遊技盤１０の前面の周縁部には、外レール１２と内レール１３とを備えた案内レール１１が装着されている。案内レール１１の内側には、遊技領域１５が区画形成されるとともに、外レール１２と内レール１３との間には、球発射装置（図示しない）によって発射されたパチンコ球Ｂ（遊技球）を遊技領域１５の上部に案内する球発射通路１４が形成されている。遊技盤１０前面の遊技領域１５の略中央部には役物装置４０が装着されており、その役物装置４０の片側（図１に向かって左側）に位置して普通図柄始動用ゲート口２０が設けられている。
【００１５】
遊技盤１０前面の遊技領域１５内には、役物装置４０の下方中央部に位置して始動口２５（本発明の入賞口に対応している）が配設されている。この始動口２５には、一対の開閉部材２８が開閉可能に設けられ、これら開閉部材２８が開いたときにはパチンコ球Ｂが入球し易く、開閉部材２８が閉じたときにはパチンコ球Ｂが入球し難くなる可変入賞口として構成されている。始動口２５にパチンコ球Ｂが入球すると、後述する図柄表示装置４５において特別図柄の変動表示が開始される。また、パチンコ球Ｂが普通図柄始動用ゲート口２０を通過すると、後述する普通図柄表示部４７において普通図柄の変動表示が開始される。そして、普通図柄表示部４７における普通図柄の抽選結果に基づいて、始動口２５の開閉部材２８が所定時間（例えば、１秒間）開放され、これによって始動口２５にパチンコ球Ｂが入球し易くなる。
【００１６】
遊技盤１０前面の遊技領域１５内には、始動口２５の下方に位置してアタッカ装置３０が装着されている。このアタッカ装置３０には、その略中央部に開閉扉３１によって開閉される大入賞口３２が設けられている。
また、遊技盤１０前面の遊技領域１５内には、その最下端に位置しかつアタッカ装置３０の下方においてアウト口３３が形成され、さらに、アタッカ装置３０の左右両側方に位置して所定数（図１では４つ）の一般入賞口３７が設けられている。
また、遊技盤１０前面の遊技領域１５内の所定箇所に風車器１８が配設されるとともに、遊技領域１５内の略全域にわたって多数の釘（図示しない）が打ち込まれている。
【００１７】
次に、遊技領域１５の略中央部に装着された役物装置４０の構成について図２、図３を参照しながら説明する。ここで、図２は、役物装置４０の下部を示す斜視図である。図３は、図２に示す役物装置４０のＡ−Ａ線に基づく縦断面図である。
図２に示すように、役物装置４０の本体部をなす役物本体４１は、遊技盤１０の略中央部に貫設された役物装着孔の前面開口部の周縁を塞ぐようにして熱可塑性合成樹脂により箱形枠状に形成された部材である。この役物本体４１はビス等によって遊技盤１０の前面（盤面）に取り付けられており、略中央部に形成された開口窓の後側には、図柄表示装置４５が装着されている。この図柄表示装置４５の表示部４６の略全域には、特別図柄が変動表示される特別図柄表示領域が設けられている。また、表示部４６の左上の部分には、普通図柄が変動表示される普通図柄表示部４７が設けられている（図１参照）。
【００１８】
図２に示すように、役物本体４１の底部には、パチンコ球Ｂが転動可能な第１の球転動部６０が構成されている。この第１の球転動部６０は、パチンコ球Ｂが円滑に転動できるようにその上面が滑らかに形成され、略中央部付近には、前縁部からパチンコ球Ｂを落下し易くするようにするための凹部６１が形成されている。この凹部６１に集められたパチンコ球Ｂは、第１の球転動部６０の前縁側から落下して、役物装置４０の下方に配置された始動口２５にある程度の確率で入球することができる。
【００１９】
また、図２に示すように、凹部６１の後側には、パチンコ球Ｂが入球可能なワープ口６２が設けられている。第１の球転動部６０の下方の位置（遊技盤１０に向かったときの下方の位置）には、前記ワープ口６２に入球したパチンコ球Ｂを遊技盤１０の盤面上に排出することのできる球排出口６３が設けられている。ワープ口６２と球排出口６３は、第１の球転動部６０の床下内部を前後方向（遊技盤１０に向かったときの前後方向）に貫くように設けられたワープ通路６４を介して連通されている。したがって、ワープ口６２に入球したパチンコ球Ｂは、図２中の矢印Ｄ１に示す経路を通って、球排出口６３から遊技盤１０の盤面上に向けて排出される。なお、ワープ口６２に入球したパチンコ球Ｂが転がり動くことのできるワープ通路６４が、本発明における「第２の球転動部」に対応している。
【００２０】
また、図１及び図２に示すように、球排出口６３は、始動口２５の直上で且つ第１の球転動部６０の下方の位置に設けられているので、この球排出口６３から排出されたパチンコ球Ｂは、第１の球転動部６０の前縁側から落下するパチンコ球Ｂよりも相対的に高い確率で始動口２５に入球することができるように構成されている。
【００２１】
また、図２に示すように、役物本体４１の内部には、遊技盤１０の盤面上を流下するパチンコ球Ｂを受け、そのパチンコ球Ｂを第１の球転動部６０もしくはワープ通路６４（ワープ口６２）に振り分けるための振り分け手段となる一対の球通路部材７０ａ，７０ｂが設置されている。この一対の球通路部材７０ａ，７０ｂは、図示しないソレノイド等の駆動手段により左右方向（遊技盤１０に向かって左右方向）に往復駆動される。これにより、これら一対の球通路部材７０ａ，７０ｂは、パチンコ球Ｂを第１の球転動部６０に高い確率で振り分けることのできる「第１の振り分け位置」と、パチンコ球Ｂをワープ通路６４に高い確率で振り分けることのできる「第２の振り分け位置」とにそれぞれ変位することができる。
【００２２】
図４は、一対の球通路部材７０ａ，７０ｂが「第１の振り分け位置」に変位されている場合における役物本体４１の内部の状態を示す上面図である。
図４に示すように、一対の球通路部材７０ａ，７０ｂは、遊技盤１０の盤面上を流下するパチンコ球Ｂを役物本体４１内の奥側にまで導くことができるようにクランク状に屈曲した断面略Ｕ型のレール状の部材として形成されており、入口部７１から入球したパチンコ球Ｂは、球通路部材７０ａ，７０ｂの上面を奥側に向かって進行し、出口部７２から役物本体４１の内部に落下する。一対の球通路部材７０ａ，７０ｂが第１の振り分け位置に変位されている場合には、出口部７２からワープ口６２までの距離がパチンコ球Ｂの直径以上に離れているので、パチンコ球Ｂはワープ口６２にほとんど入球することができずに、第１の球転動部６０に落下する。
【００２３】
図５は、一対の球通路部材７０ａ，７０ｂが「第２の振り分け位置」に変位されている場合における役物本体４１の内部の状態を示す上面図である。
図５に示すように、一対の球通路部材７０ａ，７０ｂが第２の振り分け位置に変位されている場合には、出口部７２からワープ口６２までの距離がパチンコ球Ｂの直径未満に近接しているので、パチンコ球Ｂが高い確率でワープ口６２に入球することができる。
【００２４】
この実施の形態に係る遊技機としてのパチンコ機は上述したように構成される。したがって、遊技の際、図示しない球発射装置から球発射通路１４に発射されたパチンコ球Ｂは、遊技領域１５の上部に打ち出され、多数の釘、風車器１８等に案内されながら遊技領域１５の下部に向けて流れる。
遊技領域１５に打ち出されたパチンコ球Ｂのうち、一部のパチンコ球Ｂは普通図柄始動用ゲート口２０を通過したり、あるいは、始動口２５、一般入賞口３７等の入球口に流入する。また、これら入球口に流入しなかった多くのパチンコ球Ｂは遊技領域１５の下部のアウト口３３に流入し、機外に排出される。
【００２５】
パチンコ球Ｂが普通図柄始動用ゲート口２０を通過すると、通過したパチンコ球Ｂが内部に設けられたフォトセンサ等により検出され、その検出信号が主制御基板（図示しない）に送信される。すると、主制御基板からの制御信号により、図柄表示装置４５の表示部４６の一部に設けられた普通図柄表示部４７に普通図柄が変動表示され、普通図柄に基づく抽選結果が例えば「○○」や「○×」等の所定の態様をもって遊技者に報知される。普通図柄に基づく抽選結果が「当たり」である場合には、始動口２５に設けられた開閉部材２８が所定時間（例えば、１秒間）開放される。普通図柄に基づく抽選結果が「当たり」ではない場合には、始動口２５に設けられた開閉部材２８は開放されない。
【００２６】
始動口２５にパチンコ球Ｂが入球すると、入球したパチンコ球Ｂが内部に設けられたフォトセンサ等によって検出され、その検出信号が主制御基板に送信される。すると、主制御基板からの制御信号により、図柄表示装置４５の表示部４６に特別図柄が変動表示され、特別図柄に基づく抽選結果が例えば「７，７，７」等の所定の態様をもって遊技者に報知される。
特別図柄に基づく抽選結果が「大当たり」である場合には、アタッカ装置３０の開閉扉３１によって大入賞口３２が開放される。大入賞口３２にパチンコ球Ｂが１０個流入するか、あるいは、３０秒経過すると、１ラウンドの大当たり遊技が終了し、開閉扉３１によって大入賞口３２が一旦閉じられる。始動口２５にパチンコ球Ｂが入球すると、再び大入賞口３２が開放され、このような大当たり遊技が最大で１６ラウンド繰り返される。
【００２７】
遊技の際、遊技領域１５に打ち出されたパチンコ球Ｂのうち、一部のパチンコ球Ｂは、球通路部材７０ａ，７０ｂに受け入れられて、第１の球転動部６０に落下する。第１の球転動部６０に落下したパチンコ球Ｂは、その第１の球転動部６０の上面において転動した後、その第１の球転動部６０の前縁側から始動口２５の上方に落下する。
また、遊技領域１５に打ち出されたパチンコ球Ｂのうち、一部のパチンコ球Ｂは、球通路部材７０ａ，７０ｂに受け入れられて、ワープ口６２に入球する。ワープ口６２に入球したパチンコ球Ｂは、ワープ通路６４の内部を通過して、始動口２５の直上に配置された球排出口６３より排出される。球排出口６３より排出されたパチンコ球Ｂは、第１の球転動部６０に振り分けられたパチンコ球Ｂよりも相対的に高い確率で始動口２５に入球することができる。
したがって、本実施の形態におけるパチンコ機によれば、一対の球通路部材７０ａ，７０ｂが変位されている位置（第１の振り分け位置及び第２の振り分け位置）によって、パチンコ球Ｂが振り分けられる球転動部（第１の球転動部６０及びワープ通路６４（第２の球転動部））、及び、その球転動部を転動するパチンコ球Ｂの始動口２５への入球確率に多様な変化を与えることができる。これにより、始動口２５に入球するまでのパチンコ球の動きや入球確率等が多様なものとなり、一層面白みのあるパチンコ遊技を実現することができる。
【００２８】
通常の遊技時において、一対の球通路部材７０ａ，７０ｂは、ソレノイド等の駆動手段により、第１の振り分け位置及び第２の振り分け位置の間で往復動作を繰り返すように制御される。ただし、予め定める遊技状態、例えば、大当たり遊技の終了後に特別図柄による抽選結果が再び「大当たり」になる確率が一定期間高くなる「確率変動遊技状態」の発生などを条件に、第１の振り分け位置もしくは第２の振り分け位置に変位された球通路部材７０ａ，７０ｂの停留時間が変更するように制御される。ここで、「停留時間」とあるのは、第１の振り分け位置もしくは第２の振り分け位置に振り分けられた球通路部材７０ａ，７０ｂが、その変位された位置に留まって停止している時間のことである。このような制御は、遊技盤１０の裏面に設けた主制御基板において実行される制御プログラム等により実現することができる。
【００２９】
さらに具体的に説明すると、本実施の形態では、「確率変動遊技状態」が発生したことを条件に、「第２の振り分け位置」に変位された球通路部材７０ａ，７０ｂの停留時間が通常の遊技時よりも延長される。すると、確率変動遊技が行われている最中において、球通路部材７０ａ，７０ｂを通過することによってより多くのパチンコ球Ｂがワープ口６２に入球する。ワープ口６２に多くのパチンコ球Ｂが入球すると、始動口２５に多くのパチンコ球Ｂが入球することになるので、図柄表示装置４５において多数回の特別図柄の変動表示を行わせることができる。これにより、遊技者には「大当たり」を獲得できる大きなチャンスが与えられることになる。
つまり、遊技中における様々な遊技状態に応じて、遊技盤１０の盤面上を流下するパチンコ球Ｂの始動口２５への入球確率を大小に変化させることができるので、遊技者への利益の付与度合いを遊技状況に応じて適切に調整することが可能になる。
【００３０】
なお、停留時間を変更させる条件となる「遊技状態」としては、上記に例示した「確率変動遊技状態」以外にも、例えば、普通抽選に基づく抽選結果が「当たり」になる確率が通常の遊技時よりも高くなり、且つ、一対の開閉部材２８による始動口２５の開放時間が通常の遊技時よりも延長される「時短遊技状態」などを採用することができる。この場合にも、パチンコ球Ｂの始動口２５への入球確率を高くすることができ（あるいは、低くすることもできる）、遊技者には「大当たり」を獲得できる大きなチャンスが与えられることになる。
【００３１】
また、本実施の形態におけるパチンコ機では、一対の開閉部材２８による開閉動作と、一対の球通路部材７０ａ，７０ｂの変位動作とを連動させている。
例えば、一対の球通路部材７０ａ，７０ｂが第２の振り分け位置に変位されたときに、一対の開閉部材２８が作動されて始動口２５が開かれる、といったように、両者の動作を互いに連動させている。この場合、パチンコ球Ｂは、球通路部材７０ａ，７０ｂによってワープ通路６４に振り分けられ、一対の開閉部材２８が作動されて開かれている状態の始動口２５に向けて落下することになるので、パチンコ球Ｂが始動口２５に極めて入球し易い状況を作り出すことができる。これにより、遊技者にとってより大きな利益が付与されるチャンスを与えることができるので、より一層の遊技意欲の向上を図ることができる。
なお、球通路部材７０ａ，７０ｂと開閉部材２８とを連動させる態様としては、その他にも、例えば、以下の［表１］に示す４つの態様（連動パターン▲１▼〜▲４▼）を採用することもできる。上記に例示した態様は、球通路部材７０ａ，７０ｂが「第２の振り分け位置」に変位されたときに、開閉部材２８が作動されて始動口２５が開かれる態様の連動パターンなので、［表１］中の連動パターン▲３▼に対応している。
【００３２】
【表１】
2004209085.tif 000003
【００３３】
なお、本発明は上記実施の形態に限定されるものではない。
上記実施の形態では、球通路部材７０ａ，７０ｂが第１の振り分け位置に変位される場合に、それら一対の球通路部材７０ａ，７０ｂが左右両側に広がるように作動され、また、球通路部材７０ａ，７０ｂが第２の振り分け位置に変位される場合に、それら一対の球通路部材７０ａ，７０ｂが中央側に向けて近づくように作動される例を示したが、このような態様に限定するものではない。すなわち、一対の球通路部材７０ａ，７０ｂは、上記実施の形態のように左右対称に作動されるだけでなく、例えば、左側もしくは右側に向けてそれぞれ同じ方向に作動されるようにしてもよい。
一例として、左側の球通路部材７０ａが左側に作動されたときに、右側の球通路部材７０ｂが同じく左側に作動されるようにした場合には、パチンコ球Ｂが役物装置４０の右側を流下した方が、第２の振り分け位置に変位されている球通路部材７０ｂを通過することでパチンコ球Ｂが始動口２５に入球できる確率が高くなる。この場合、遊技者は、パチンコ球Ｂを役物装置４０の右側に打ち分けた方が、「大当たり」になるチャンスを多く獲得できるので、球発射強度の調整能力を問われることから遊技者の遊技技量によって有利になる度合いを異ならすことができ、よりパチンコ遊技の興趣を向上させることができる。
また、一対の球通路部材７０ａ，７０ｂのうちいずれか一方の球通路部材のみを第１の振り分け位置に固定しておき、他方の球通路部材を第１の振り分け位置と第２の振り分け位置とに変位させるようにしても良く、そのような変位動作を交互に切り替えるような態様で作動させても良い。
【００３４】
上記実施の形態では、球排出口６３の下方に配置される本発明の「入賞口」として、パチンコ球Ｂが入球すると図柄表示装置４５において特別図柄の変動表示が開始される始動口２５が配置される例を示したが、このような態様に限定するものではない。本発明の「入賞口」としては、パチンコ球Ｂ（遊技球）が入球することで遊技者に対して何らかの有利な効果が発生する「入賞口」が配置されればよく、例えば、遊技者に対して所定数の賞球を払出す普通入賞口や、遊技者に対して大当たり遊技を付与する第２種パチンコ機におけるいわゆるＶゾーン等が「入賞口」として配置される場合であっても本発明を適用し得る。
【００３５】
上記実施の形態では、遊技盤１０の盤面（前面）上を流れるパチンコ球Ｂを受け入れる球通路部材７０ａ，７０ｂが役物本体４１の左右両側部にそれぞれ設けられている場合を例示したが、役物本体４１の左右片側にのみ球通路部材が設けられる場合においても本発明を適用することができる。
【００３６】
上記実施の形態では、遊技機としての第１種パチンコ機に本発明を適用した例を示したが、第２種パチンコ機や第３種パチンコ機に対しても本発明を適用し得る。また、パチンコ機以外の他の遊技機（例えばスロットマシン，アレンジボール機，雀球遊技機，テレビゲーム機等）であって、球転動部や入賞口を有するものに対しても本発明を適用し得る。
【００３７】
【発明の効果】
以上説明したように、この発明によれば、遊技球が入賞口に入球するまでの経路や、遊技球がその経路を通った場合の入賞口への入球確率等に変化を与えることで、一層面白みのある遊技を実現できる遊技機を提供することができる。
【図面の簡単な説明】
【図１】この発明の実施の形態に係る遊技機の遊技盤全体を示す正面図である。
【図２】同じく役物装置の下部を示す斜視図である。
【図３】図２に示す役物装置のＡ−Ａ線に基づく縦断面図である。
【図４】一対の球通路部材が「第１の振り分け位置」に変位されている場合における役物本体の内部の状態を示す上面図である。
【図５】一対の球通路部材が「第２の振り分け位置」に変位されている場合における役物本体の内部の状態を示す上面図である。
【符号の説明】
１０      遊技盤
２５      始動口（入賞口）
２８      開閉部材
３０      アタッカ装置
３２      大入賞口
３３      アウト口
３７      一般入賞口
４０      役物装置
４１      役物本体
４５      図柄表示装置
４６      表示部
４７      普通図柄表示部
６０      第１の球転動部
６１      凹部
６２      ワープ口
６３      球排出口
６４      ワープ通路（第２の球転動部）
７０ａ，７０ｂ  球通路部材（振り分け手段）
Ｂ          パチンコ球（遊技球）
【図１】
2004209085.tif 000004
【図２】
2004209085.tif 000005
【図３】
2004209085.tif 000006
【図４】
2004209085.tif 000007
【図５】
2004209085.tif 000008